(57)【特許請求の範囲】
【請求項１】
虫誘引装置において、
筒状部と、
現場の設置面に沿って設置され、前記筒状部の一端と対向したリアパネルと、
前記リアパネルに間隔をあけて取り付けられ、前記筒状部の他端と対向したフロントパネルと、
前記筒状部の外面に配置され、当該外面から周囲に向かって虫を誘引する光を発する面状または複数の点状の光源と、
前記筒状部の一端と、前記リアパネルの表面との間の隙間を介して、前記リアパネルの表面に取り付けられる交換可能な捕虫シートを保持するために、前記リアパネルに設けられた爪状のシート保持部と
を有することを特徴とする虫誘引装置。
【請求項２】
前記フロントパネルにおいて、前記筒状部の他端と対向する部位よりも外側に設けられ、前記フロントパネルの表裏を貫通する開口部をさらに有し、
前記捕虫シートは、前記開口部を介して、外部に露出していることを特徴とする請求項１に記載された虫誘引装置。
【請求項３】
前記筒状部および前記光源は、前記リアパネルおよび前記フロントパネルの間に配置された発光ユニットとして、一体化されていることを特徴とする請求項１または２に記載された虫誘引装置。
【請求項４】
前記発光ユニットは、
前記筒状部の周囲に巻回され、かつ、前記光源が配置されたフレキシブル基板をさらに有することを特徴とする請求項３に記載された虫誘引装置。
【請求項５】
前記発光ユニットは、
前記筒状部および前記光源を収容する透光性のケース部材をさらに有することを特徴とする請求項３に記載された虫誘引装置。
【請求項６】
前記発光ユニットは、
前記筒状部の内面に設けられ、前記光源が発する熱を放熱するヒートシンクをさらに有することを特徴とする請求項３に記載された虫誘引装置。
【発明の詳細な説明】
【技術分野】
【０００１】
本発明は、発光によって虫を誘引する虫誘引装置に関する。
【背景技術】
【０００２】
近年、食品への異物混入が大きな問題となっている。異物混入は、食品メーカーにとって大きな問題となるため、特に虫の混入防止対策に力を入れている工場が多い。具体的には、衛生管理業者が工場や飲食店に捕虫器を設置し、定期的に現場を確認することによって、虫の種類、虫の数、虫の侵入経路などを把握・管理するモニタリングが実施されている。捕虫器としては、ケミカルランプで虫を誘引し、ファンや粘着性の捕虫シートで虫を捕らえるものが知られている。【０００３】
例えば、特許文献１には、紫外線を照射する捕虫器の用途にも供される全方位照射が可能なＬＥＤ放射器が開示されている。図５に示すように、この放射器２０は、カバー材２１と、固定材２２と、複数のＬＥＤ２３とを主体に構成されている。カバー材２１は、円筒形状を有し、放射器２０の長手方向に延在している。このカバー材２１の内部には、複数のＬＥＤ２３や配線等が配置された固定材２２が収容されている。固定材２２は、アルミニウムの押出成型にて一体形成され、放射器２０の長手方向に延在している。また、カバー材２１の両端には、蓋体２４がそれぞれ取り付けられていると共に、その外側にはフィン２５が多数固着されている。放射器２０は、その長手方向が設置される壁面に沿うように取り付けられる。ＬＥＤ２３から出射された狭い角度の光（紫外線）は、捕虫器としての用途に最適なように、カバー材２１にて拡散されて広い範囲の光となって外部に照射される。
【先行技術文献】
【特許文献】
【０００４】
【特許文献１】特開２０１６−８５８９６号公報
【発明の概要】
【発明が解決しようとする課題】
【０００５】
ところで、モニタリング目的で工場等に設置される従来の捕虫器は大型のものが多いため、天井からの吊り下げや壁付けといった如く、設置場所に制限を伴う。また、捕虫器を現場に設置するための工事を伴う他、その移設工事も容易ではない。そのため、捕虫器を設置したい場所に気軽に設置することが困難である。【０００６】
本発明は、かかる事情に鑑みてなされたものであり、その目的は、小型かつ薄型で設置場所を選ばず、虫を効果的に誘引する新規な虫誘引装置を提供することである。
【課題を解決するための手段】
【０００７】
かかる課題を解決すべく、本発明は、筒状部と、リアパネルと、フロントパネルと、面状または複数の点状の光源と、爪状のシート保持部とを有する虫誘引装置を提供する。リアパネルは、現場の設置面に沿って設置され、筒状部の一端と対向している。フロントパネルは、リアパネルに間隔をあけて取り付けられ、筒状部の他端と対向している。光源は、筒状部の外面に配置され、この外面から周囲に向かって虫を誘引する光を発する。シート保持部は、筒状部の一端と、リアパネルの表面との間の隙間を介して、リアパネルの表面に取り付けられる交換可能な捕虫シートを保持するために、リアパネルに設けられている。
【０００８】
ここで、本発明において、フロントパネルにおいて、筒状部の他端と対向する部位よりも外側に設けられ、フロントパネルの表裏を貫通する開口部をさらに設けてもよい。この場合、上記捕虫シートは、開口部を介して、外部に露出していることが好ましい。
【０００９】
本発明において、上記筒状部および上記光源は、リアパネルおよびフロントパネルの間に配置された発光ユニットとして、一体化されていることが好ましい。
【００１０】
この場合、上記発光ユニットは、筒状部の周囲に巻回され、かつ、光源が配置されたフレキシブル基板をさらに有していてもよい。また、上記発光ユニットは、筒状部および光源を収容する透光性のケース部材をさらに有していてもよい。さらに、上記発光ユニットは、筒状部の内面に設けられ、光源が発する熱を放熱するヒートシンクをさらに有していてもよい。
【発明の効果】
【００１１】
本発明によれば、互いに対向したリアパネルおよびフロントパネルの間に円筒部を設け、この円筒部の外周に面状または複数の点状の光源を配置することで、虫誘引装置の小型化・薄型化を図ることができる。また、光源から発せられた光は、設置面に沿って投光され、設置面を間接発光させる。これにより、設置面の間接発光を含めて、大きな発光面積を確保できるので、虫の誘引効果を高めることができる。さらに、リアパネルに爪状のシート保持部を設けることで、リアパネルの表面に取り付けられた捕虫シートを交換することができる。
【図面の簡単な説明】
【００１２】
【図１】虫誘引装置の外観斜視図
【図２】虫誘引装置の展開斜視図
【図３】発光ユニットの展開斜視図
【図４】フロントパネルの上面図
【図５】従来のＬＥＤ放射器の外観斜視図
【発明を実施するための形態】
【００１３】
図１は、本実施形態に係る虫誘引装置の外観斜視図である。この虫誘引装置１は、自己が発光する光によって虫を誘引する。虫誘引装置１は、はがき大のサイズを有する小型かつ軽量の装置であり、虫の種類、虫の数、虫の侵入経路などを把握・管理するためのモニタリングを実施すべき現場（工場や飲食店など）の「設置面」に沿うように適宜設置される。ここで、「設置面」としては、現場の壁面や、机、作業台、調理台などの側面が想定されるが、小型ゆえに場所を選ばず、柔軟に設置可能である。また、モニタリング終了後は別の場所に容易に移設できる。虫誘引装置１の設置方法としては、両面テープ等を用いて設置面上に貼り付けてもよいし、設置面より前方に突出した受け具に載せてもよい。また、虫誘引装置１を搭載したスタンドを設置面の近傍に配置してもよい。いずれの設置方法であっても、設置面を間接発光させるべく、後述するリアパネル２が設置面に沿うように設置される点に留意されたい（ただし、設置面との接触の有無は問わない。）。
【００１４】
また、この虫誘引装置１は、工場や飲食店のみならず家庭用としても使用でき、その用途もモニタリングに限らず、固定的に設置して捕虫用途として用いてもよい。虫誘引装置１は、互いに対向して配置された一対のパネル２，３と、これらの間に配置された発光ユニット４とを主体に構成されている。発光ユニット４は、略円筒形状を有し、その両端がパネル２，３によって挟み込まれた構造になっている。
【００１５】
図２は、虫誘引装置１の展開斜視図である。上述したように、虫誘引装置１が備えるプレート状のリアパネル２は、現場の設置面に沿うように設置される。このリアパネル２の四隅には、前方に向かって突出したネジ取付部２ａが設けられており、それぞれのネジ取付部２ａには、ネジ５ａを螺合するためのネジ穴が設けられている。虫誘引装置１の奥行きは、ネジ取付部２ａの突出高によって規定される。また、リアパネル２の表面には、爪状のシート保持部２ｂが左右下の３箇所に設けられている。同図では、説明の便宜上、下側のシート保持部２ｂが上側に位置しているが、実際の設置時には、これが下側に位置するように、上下を逆にした状態で用いられる。これらのシート保持部２ｂに捕虫シート６を嵌め入れることによって、リアパネル２の表面上に捕虫シート６が交換可能な状態で取り付けられる。捕虫シート６は、粘着性を有しており、粘着面に接触した虫を捕らえる。また、捕虫シート６としては、虫を誘引する色（例えば黄色）が付されたものを用いることが好ましい。なお、捕虫装置を別途設置する場合のように、虫誘引装置１自体に捕虫機能を設ける必要がない場合、シート保持部２ｂや捕虫シート６を設ける必要はない。
【００１６】
フロントパネル３は、ネジ取付部２ａの突出高に相当する間隔をあけて、リアパネル２と対向して配置されている。このフロントパネル３の中央部分には、２つのネジ穴３ａが設けられていると共に、その四隅には、ネジ取付部２ａの位置に対応したネジ穴３ｂがそれぞれ設けられている。また、フロントパネル３には、その表裏を貫通するように、第１の開口部３ｃと、複数の第２の開口部３ｄとが設けられている。第１の開口部３ｃは、フロントパネル３の略中央に設けられており、円状に開口している。また、第２の開口部３ｄは、中央の第１の開口部３ｃから離れて設けられており、フロントパネル３の対角線上の４箇所において開口している。
【００１７】
発光ユニット４は、リアパネル２とフロントパネル３との間に配置されている。この発光ユニット４は、略円筒形状を有しており、周囲に向かって虫を誘引する光を発する。このような光としては、例えば、ピーク波長が３６０〜３７０ｎｍ程度である紫外線を用いることができる。
【００１８】
虫誘引装置１を組み立てる際は、まず、ネジ穴３ａに挿入されたネジ５ｂを用いて、発光ユニット４をフロントパネル３に固定する。その上で、ネジ穴３ｂに挿入されたネジ５ａをネジ取付部２ａに螺合することによって、発光ユニット４が固定されたフロントパネル３をリアパネル２に固定する。虫誘引装置１の分解は、組立手順とは逆の手順を経ることによって行われる。劣化した発光ユニット４を交換する場合、あるいは、別の光学特性を有する発光ユニット４に交換する場合には、以上のような分解手順と組立手順とを経ることで、交換作業を容易に行うことができる。
【００１９】
図３は、発光ユニット４の展開斜視図である。この発光ユニット４は、リアパネル２およびフロントパネル３に両端が対向した筒状部７ａを備え、この筒状部７ａの外面から周囲に向かって虫を誘引する光を発する。本実施形態において、発光ユニット４は、ベース部材７と、フレキシブル基板８と、複数のＬＥＤ９と、ケース部材１０とを主体に構成されている。ベース部材７は、円板部７ｂと、この円板部７ｂより上方に向かって円筒状に突出した筒状部７ａとを有する。筒状部７ｂの外面は平坦に形成されており、その内面には、光源としてのＬＥＤ９が発する熱を放熱する凹凸状のヒートシンク７ｃが全周に亘って設けられている。ここで、ヒートシンク７ｃの放熱性を高めるべく、ベース部材７はアルミニウム等の放熱性の高い金属で形成することが好ましい。
【００２０】
フレキシブル基板８は、筒状部７ａの周囲（外面）に巻回されている。このフレキシブル基板８は、取付面の形状に追従可能な可撓性を有している。したがって、筒状部７ａの形状は、必ずしも円筒状である必要はなく、多角形状であっても、フレキシブル基板８を問題なく巻回することができる。また、フレキシブル基板８には、点光源である複数のＬＥＤ９が所定の間隔を空けて、全周に亘って配置されている。これにより、筒状部７ａの外面から周囲に向かって、虫を誘引する光が発せられる。なお、光源としては、ＬＥＤ９のような点光源を複数用いることに代えて、エレクトロルミネセンス（ＥＬ）のような面光源を用いて、筒状部７ａの外面から面状に光を発するようにしてもよい。さらに、フレキシブル基板８には、電源コード１１が取り付けられており、この電源コード１１を介して、ＬＥＤ９を発光させるための電力が外部から供給される。ただし、外部からの電源供給ではなく、虫誘引装置１自体に電池を内蔵することによって、電源供給を行ってもよい。
【００２１】
ケース部材１０は、透明プラスチック等の透光性（半透光性を含む。）を有する材料によって形成され、内部に収容されたフレキシブル基板８を全体に亘って覆う。フレキシブル基板８をケース部材１０で覆うことによって、ユーザ（交換者等）の手がＬＥＤ９に直接接触することを防止できるので、ＬＥＤ９の劣化や特性の変動を有効に抑制できる。なお、ケース部材１０に光を拡散させる性能を持たせて、ＬＥＤ９が発した光を拡散させてもよい。
【００２２】
発光ユニット４の組み立てる際は、まず、ベース部材７が備える筒状部７ａの外周にリング状に巻回されたフレキシブル基板８を取り付け、つぎに、ベース部材７にケース部材１０を被せた上で、ネジ５ｃにてネジ止めする。これによって、筒状部７ａの外面から周囲に向かって虫を誘引する光を発する発光ユニット４を得ることができる。
【００２３】
図４は、フロントパネル３の上面図である。同図において、破線で示した円は、筒状部７ａの端部（あるいは、円状に巻回されたフレキシブル基板８の側縁部）を示す。虫誘引装置１が組み立てられた状態において、フロントパネル３の略中央に設けられた第１の開口部３ｃは、筒状部７が備える中空空間内に臨んでいる。これにより、ヒートシンク７ｃに生じた熱は、第１の開口部３ｃより外部に放熱されるため、ヒートシンク７ｃを有効に冷却することができる。なお、同様の理由から、ケース部材１０にも開口部が設けられている。
【００２４】
また、第２の開口部３ｄは、フロントパネル３において、筒状部７ａの端部と対向する部位よりも外側、すなわち、対角線方向に離れて設けられている。これにより、リアパネル２に取り付けられた捕虫シート６は、第２の開口部３ｄを介して、外部に露出している。これにより、リアパネル２の上方から第２の開口部３ｄを経て侵入した虫を捕虫シート６にて効率的に捕らえることができる。さらに、筒状部７ａの端部近傍（特に外側）を避けて第２の開口部３ｄを設けることで、ＬＥＤ９より発せられた光が、フロントパネル３の上方より直接目視されることを有効に防止できる。
【００２５】
このように、本実施形態によれば、現場の設置面に一端が対向するように円筒部７ａを設け、この円筒部７ａの外周に複数のＬＥＤ９を配置することで、虫誘引装置１の小型化・薄型化を図ることができる。また、このような構成を採用することで、ＬＥＤ９から発せられた光は、設置面に沿って投光され、設置面を間接発光させる。これにより、設置面の間接発光を含めて、大きな発光面積を確保できるので、虫の誘引効果を高めることができる。
【００２６】
また、本実施形態によれば、筒状部７ａやＬＥＤ９などを発光ユニット４として一体化し、この発光ユニット４をリアパネル２およびフロントパネル３の間に配置することで、発光ユニット４を衝撃等から有効に保護することができる。また、フレキシブル基板８を用いることで、構造的に単純かつ安価に発光ユニット４を得ることができる。
【００２７】
また、本実施形態によれば、ＬＥＤ９が配置されたフレキシブル基板８をケース部材１０の内部に収容することで、虫誘引装置１の分解または組み立ての際、ユーザ（交換者等）の手がＬＥＤ９に直接接触することを有効に防止できる。
【００２８】
また、本実施形態によれば、発光ユニット４が備える筒状部７ａの内面にヒートシンク７ｃを設けることにより、ヒートシンク７ｃにて吸収されたＬＥＤ９の熱を有効に放熱できる。
【００２９】
さらに、本実施形態によれば、フロントパネル３において、筒状部７ａの端部と対向する部位よりも外側に第２の開口部７ｄを設け、この開口部７ｄを介して、捕虫シート６を外部に露出させることで、フロントパネル３の上方より侵入した虫を効率よく捕らえることができる。
【００３０】
なお、上述した実施形態では、第１のパネル部（リアパネル２）と第２のパネル部（ルロントパネル３）とを別個の部材で形成し、これらをネジ５ａにて結合する形態について説明した。しかしながら、本発明はこれに限定されるものではなく、第１のパネル部および第２のパネル部の縁部同士をプレートを介して固定的に連結することで、一体的な部材として構成してもよい。また、第１のパネル部および第２のパネル部の縁部同士を蝶番にて連結し、開閉自在に構成してもよい。
【００３１】
また、上述した実施形態では、粘着性の捕虫シート６を内蔵した虫誘引装置１について説明したが、虫誘引装置１として、虫を捕らえる機能はなくても構わない。さらに、虫を捕らえる手段としては、気流によって虫を吸引するファンなどを用いてもよい。
【符号の説明】
【００３２】
１  虫誘引装置
２  リアパネル
２ａ  ネジ取付部
２ｂ  シート保持部
３  フロントパネル
３ａ，３ｂ  ネジ穴
３ｃ  第１の開口部
３ｄ  第２の開口部
４  発光ユニット
５ａ〜５ｃ  ネジ
６  捕虫シート
７  ベース部材
７ａ  筒状部
７ｂ  円板部
７ｃ  ヒートシンク
８  フレキシブル基板
９  ＬＥＤ
１０  ケース部材
１１  電源コード
【要約】
【課題】小型かつ薄型で設置場所を選ばず、虫を効果的に誘引する新規な虫誘引装置を提供する。
【解決手段】リアパネル２と、フロントパネル３と、発光ユニット４とを有する虫誘引装置１を提供する。リアパネル２は、現場の設置面に取り付けられる。フロントパネル３は、リアパネル２と対向して配置されている。発光ユニット４は、リアパネル２およびフロントパネル３の間に配置されている。また、発光ユニット４は、リアパネル２およびフロントパネル３に両端が対向した筒状部７ａを備え、この筒状部７ａの外面から周囲に向かって虫を誘引する光を発する。
【選択図】図２【図１】
0006372907.tif 000002
【図２】
0006372907.tif 000003
【図３】
0006372907.tif 000004
【図４】
0006372907.tif 000005
【図５】
0006372907.tif 000006